【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】  キー配列と、前記配列は方向指示器及び複数のデータ入力キーから成り、前記データ入力キーの各々は複数の選択データ要素を示すようにそれぞれに表記されることと、
前記キー配置に接続されたマイクロプロセッサと、前記マイクロプロセッサは、前記方向指示器に入力される指定された方向に基づいて、特定のデータ入力キーが押された際に前記選択データ要素のうちのどれかが入力されたことを解析するようにプログラムされ、それらの解析されたデータ要素をデータ出力装置により利用するための適切なコードに変換する前記マイクロプロセッサと、
すべての所望の方向定位を指示する単一膜指示装置から成る前記方向指示器とから成る文字・数字データ出入力システム。
【請求項２】  前記方向指示器は、複数の径方向方向指示（ＲＤＩ）キーがその上部に配置された単一膜回路表面から成る請求項１に記載の文字・数値データ出入力システム。
【請求項３】  それぞれの前記データ入力キー上の前記複数の選択されたデータ要素は、主データ要素及び複数の補助データ要素から成り、複数の補助データ要素の各位置は各前記ＲＤＩキーの各位置に相応し、且つ前記ＲＤＩキーの一つが押された後に、所望のデータ入力キーが押されるように、前記複数の補助データ要素はそれぞれの前記データ入力要素キー上に配置され、前記マイクロプロセッサは、押されたＲＤＩキーの位置に相応する押されたデータ入力キーでの前記補助データ要素が選択されたことを解析し、データ出力装置により利用される適切な出力コードを発生する請求項２に記載の文字・数値データ出入力システム。
【請求項４】  前記データ出力装置は、二重諧調被変調周波数（ＤＴＭＦ）発生器回路を備える請求項１に記載の文字・数値データ出入力システム。
【請求項５】  ＬＣＤドライバ回路と、前記マイクロプロセッサは、前記ＬＣＤドライバ回路に送信するためのデータ入力に相応する文字・数字信号も発生させることと、
文字・数字データ入力が行われる際に文字・数字データ入力を表示する液晶ディスプレイをさらに備える請求項４に記載の文字・数値データ出入力システム。
【請求項６】  前記マイクロプロセッサは、ＡＳＣＩＩコード信号入力装置に送信するために選択されたデータ入力に相応するＡＳＣＩＩコード信号を発生するようにプログラムされる請求項５に記載の文字・数値データ出入力システム。
【請求項７】  前記マイクロプロセッサは、操作のリバースモードにおいて前記補助データ要素の入力に応じるようプログラムされ、任意に選択された補助データ要素が入力又は処理される前に、ユーザが見直し及び選択できるよう、前記リバースモードが、選択されたデータ入力キー上に配置されたすべての補助データ要素を表示させる請求項３に記載の文字・数値データ出入力システム。
【請求項８】  前記キー配列は、前記ＲＤＩキーを無効にし、且つ前記ＲＤＩキーと同等の機能を実行する選択的径方向方向指示装置と接続するための手段を設ける請求項３に記載の文字・数値データ出入力システム。
【請求項９】  キー配列と、前記キー配列は複数のデータ入力キーを有し、各入力キーは、入力キー上に表示された主データ要素と所定の方向で前記主データ要素の外方向に径方向に配置される複数の補助データ要素を有することと、
前記キー配列は複数の前記補助データ要素と数が相応し、且つそこに関連する位置に相応する複数の径方向方向指示（ＲＤＩ）部分と、前記複数のＲＤＩ部分は、特定のデータ入力キー上で相応的に配置された補助データ要素の選択を確認する目的で、選択するための適切なＲＤＩ部分に関して操作者に視覚的表示を提供するよう、前記関連する位置の方向を指定する矢印によりそれぞれ表示されることと、
前記キー配列に接続されたマイクロプロセッサと、前記マイクロプロセッサは、特定のデータ入力キーが押された際に前記選択されたデータ要素が入力されたことを解析するようにプログラムされ、それらの解析されたデータ要素をデータ出力装置により利用するための適切なコードに変換することから成る電話機用の文字・数値データ出入力システム。
【請求項１０】複数の前記ＲＤＩ部は、単一膜回路表面上に配置される請求項９に記載の文字・数値データ出入力システム。
【請求項１１】前記データ出力装置は、二重諧調被変調周波数（ＤＴＭＦ）発生器回路から成る請求項９に記載の文字・数値データ出入力システム。
【請求項１２】  ＬＣＤドライバ回路と、前記マイクロプロセッサは、前記ＬＣＤドライバ回路に送信するためのデータ入力に相応する文字・数字信号も発生させることと、
文字・数字データ入力が行われる際に文字・数字データ入力を表示する液晶ディスプレイをさらに備える請求項１１に記載の文字・数値データ出入力システム。
【請求項１３】  キー配列と、前記キー配列は、表示された主データ要素と、方向指示器と、所定の方向で前記主データ要素の外方向に径方向に配置される複数のデータ入力キーとから成ることと、
前記複数のデータ入力キーは整列された複数の列と複数の行に配列され、前記データ入力キー配列は小型であり、ユーザが片手での操作できるように各行は少なくとも二つのデータ入力キーを有し、各列は少なくとも三つのデータ入力キーを有することと、
前記キー配置に接続されたマイクロプロセッサと、前記マイクロプロセッサは、前記方向指示器に入力される指定された方向に基づいて、特定のデータ入力キーが押された際に前記選択されたデータ要素のうちのどれが入力されたことを解析するようにプログラムされ、入力があった場合には、それらの解析されたデータ要素をデータ出力装置により利用するための適切なコードに変換することから成る電話機用の文字・数値データ出入力システム。
【請求項１４】  それぞれが四つのキーから成る三つの列で配置された１２個のデータ入力キーを有する請求項１３に記載の文字・数値データ出入力システム。
【請求項１５】  各データ入力キー上の主データ要素について径方向に配置された８個の補助データ要素を有する請求項１３に記載の文字・数値データ出入力システム。
【請求項１６】  標準コンピュータキーボードの機能は、いくつかの前記データ入力キー上のいくつかの補助データ要素から成る請求項１３に記載の文字・数値データ出入力システム。
【請求項１７】  前記方向指示器は、すべての所望の方向の向きを指示する単一膜指示装置から成る請求項１３に記載の文字・数値データ出入力システム。
【請求項１８】  前記方向指示器は、複数の径方向方向指示（ＲＤＩ）キーがその上
部に配置された単一膜回路表面から成る請求項１７に記載の文字・数値データ出入力システム。
【請求項１９】  キー配列と、前記配列は方向指示器及び複数のデータ入力キーから成り、前記データ入力キーは複数の選択されたデータ要素を示すようにそれぞれに表記されることと、
前記キー配置に接続されたマイクロプロセッサと、前記マイクロプロセッサは、前記方向指示器に入力される指定された方向に基づいて、特定のデータ入力キーが押された際に前記選択データ要素のうちのどれが入力されたことを解析するようにプログラムされ、入力があった場合には、それらの解析されたデータ要素をＤＴＭＦ発生器回路により利用するための適切なコードに変換することと、
ＬＣＤドライバ回路と、前記マイクロプロセッサは、前記ＬＣＤドライバ回路に送信するためのデータ入力に相応する文字・数値信号をも直接に発生し、
文字・数字データ入力が行われる際に、リアルタイムに文字・数字データ入力を表示する液晶ディスプレイとから成る電話機用の文字・数値データ出入力システム。
【請求項２０】  キー配列と、前記配置は方向指示装置及び複数のデータ入力キーから成ることと、
前記方向指示装置は矢印で表記された指示装置から成り、各矢印は径方向を示し、それぞれの前記データ入力キーは選択データ要素のために表記され、且つ各キーに近接して各キーを包囲して配列表面上の径方向位置に表記された補助データ要素を形成する多様な文字・数字記号を有し、一つのキーに対する前記補助データ要素の数は、前記径方向の数「ｎ」に等しく、「ｎ」は１，２，３，４，５，．．．．．．ｎに等しいことと、
前記キー配置に接続されたマイクロプロセッサと、前記マイクロプロセッサは、前記方向指示器に入力される指定された方向に基づいて、特定のデータ入力キーが押された際に前記選択データ要素のうちのどれが入力されたことを解析するようにプログラムされ、入力があった場合には、それらの解析されたデータ要素をデータ出力装置により利用するための適切なコードに変換し、その結果、特定の一つの任意の前記矢印が作動された際に、前記径方向入力データは、前記データ入力キーに関連し、且つ選択された矢印により指示された径方向に相応して位置される補助データ要素を入力するために作動されたデータ入力キーと連動することから成る文字・数値データ出入力システム。
【請求項２１】  前記データ出力装置は二重諧調被変調周波数（ＤＴＭＦ）発生器回路から成り、前記システムは、わずか一つの方向入力及び一つの関連する補助データ文字入力から成る入力データ要素を適切なＤＴＭＦ音調出力に変換するよう適合される請求項９に記載の文字・数値データ出入力システム。
【請求項２２】  キー配列と、前記キー配列は複数のデータ入力キーを有し、各入力キーは、入力キー上に表示された主データ要素と所定の方向で前記主データ要素の外方向に径方向に配置される複数の補助データ要素を有することと、
前記キー配列は複数の前記補助データ要素と数が相応し、且つそこに関連する位置に相応する複数の径方向方向指示（ＲＤＩ）キーと、前記複数のＲＤＩキーは、特定のデータ入力キー上で相応的に配置された補助データ要素の選択を確認する目的で、選択するための適切なＲＤＩキーに関して操作者に視覚的表示を提供するよう、指示物によりそれぞれ表示されることと、
前記キー配列に接続されたマイクロプロセッサと、前記マイクロプロセッサは、特定のデータ入力キーが押された際に前記選択されたデータ要素が入力されたことを解析するようにプログラムされ、それらの解析されたデータ要素をデータ出力装置により利用するための適切なコードに変換することから成る電話機用の文字・数値データ出入力システム。
【請求項２３】複数の前記ＲＤＩキーは、単一膜回路表面上に配置される請求項２２に記載の文字・数値データ出入力システム
【請求項２４】前記データ出力装置は、二重諧調被変調周波数（ＤＴＭＦ）発生器回路から成り、前記マイクロプロセッサは、前記入力データ要素をＤＴＭＦ発生装置回路に伝送するためにＢＣＤコードに変換するようにプログラムされている請求項２２に記載の
文字・数値データ出入力システム。
【請求項２５】ＬＣＤドライバ回路と、前記マイクロプロセッサは、前記ＬＣＤドライバ回路に送信するためのデータ入力に相応する文字・数字信号も発生させることと、
文字・数字データ入力が行われる際に文字・数字データ入力を表示する液晶ディスプレイをさらに備える請求項２４記載の文字・数値データ出入力システム。
【請求項２６】前記指示物は矢印から成る請求項２２に記載の文字・数値データ出入力システム。
【請求項２７】前記プロセッサは、前記ＲＤＩキーの一つをまず作動し、次に選択されたデータ入力キーが作動するというシーケンスからなる第１のモードで作動するようにプログラムされている請求項２２に記載の文字・数値データ出入力システム。
【請求項２８】前記プロセッサは、選択されたデータ入力キーをまず作動し、任意に選択された補助データ要素が入力又は処理される前にユーザが見直し及び選択できるよう、該選択されたデータ入力キー上に配置されたすべての補助データ要素をディスプレイに表示させ、次に選択されたＲＤＩキーを作動させることからなる第２のモードで作動するようにプログラムされている請求項２２に記載の文字・数値データ出入力システム。